(57)【要約】  従来タイプより小型でありながらも、諸収差が良好に補正された、Ｆ２．４以上の明るさを持つ６枚構成の撮像レンズ及びそれを用いた撮像装置並びに携帯端末を提供する。固体撮像素子の光電変換部に被写体像を結像させるための撮像レンズは、Ｆ２．４以上の明るさを有し、物体側より順に、正の屈折力を有し光軸近傍で物体側に凸面を向け、像側面よりも物体側面の方が強い曲率を有する第１レンズ、負の屈折力を有する第２レンズ、正の屈折力を有する第３レンズ、第４レンズ、第５レンズ、負の屈折力を有し光軸近傍で像側に凹面を向けた第６レンズ、からなり、前記第６レンズの像側面は非球面形状であり、光軸との交点以外の位置に極値を有し、開口絞りが前記第２レンズ像側面よりも物体側に配置され、以下の条件式を満足する。  ４０．０＜ν３＜６５．０      （１）  ０．０５＜ｄ８／ｆ＜０．１５      （２）ただし、ν３：前記第３レンズのアッベ数ｄ８：前記第４レンズと前記第５レンズの光軸上の空気間隔(ｍｍ)ｆ：前記撮像レンズ全系の焦点距離(ｍｍ)
2014175058.tif 000002
【特許請求の範囲】
【請求項１】
固体撮像素子の光電変換部に被写体像を結像させるための撮像レンズであって、
Ｆ２．４以上の明るさを有し、物体側より順に、正の屈折力を有し光軸近傍で物体側に凸面を向け、像側面よりも物体側面の方が強い曲率を有する第１レンズ、負の屈折力を有する第２レンズ、正の屈折力を有する第３レンズ、第４レンズ、第５レンズ、負の屈折力を有し光軸近傍で像側に凹面を向けた第６レンズ、からなり、
前記第６レンズの像側面は非球面形状であり、光軸との交点以外の位置に極値を有し、  開口絞りが前記第２レンズ像側面よりも物体側に配置され、
以下の条件式を満足することを特徴とする撮像レンズ。
４０．０＜ν３＜６５．０          （１）
０．０５＜ｄ８／ｆ＜０．１５      （２）
ただし、
ν３：前記第３レンズのアッベ数
ｄ８：前記第４レンズと前記第５レンズの光軸上の空気間隔(ｍｍ)
ｆ：前記撮像レンズ全系の焦点距離(ｍｍ)
【請求項２】
以下の条件式を満足することを特徴とする請求項１に記載の撮像レンズ。
１．００＜ｆ１２３４／ｆ＜２．００      （３）
ただし、
ｆ１２３４：前記第１レンズから前記第４レンズまでの合成焦点距離(ｍｍ)
ｆ：前記撮像レンズ全系の焦点距離(ｍｍ)
【請求項３】
以下の条件式を満足することを特徴とする請求項１又は２に記載の撮像レンズ。
−１．７０＜ｆ２／ｆ＜−１．００      （４）
ただし、
ｆ２：前記第２レンズの焦点距離(ｍｍ)
ｆ：前記撮像レンズ全系の焦点距離(ｍｍ)
【請求項４】
以下の条件式を満足することを特徴とする請求項１〜３のいずれか１項に記載の撮像レンズ。
１．５０＜ｆ３／ｆ＜６．００      （５）
ただし、
ｆ３：前記第３レンズの焦点距離(ｍｍ)
ｆ：前記撮像レンズ全系の焦点距離(ｍｍ)
【請求項５】
以下の条件式を満足することを特徴とする請求項１〜４のいずれか１項に記載の撮像レンズ。
０．３０＜ｒ１／ｆ＜０．６０      （６）
ただし、
ｒ１：前記第１レンズ物体側面の曲率半径(ｍｍ)
ｆ：前記撮像レンズ全系の焦点距離(ｍｍ)
【請求項６】
以下の条件式を満足することを特徴とする請求項１〜５のいずれか１項に記載の撮像レンズ。
０．４０＜ｒ４／ｆ＜０．９０      （７）
ただし、
ｒ４：前記第２レンズ像側面の曲率半径(ｍｍ)
ｆ：前記撮像レンズ全系の焦点距離(ｍｍ)
【請求項７】
以下の条件式を満足することを特徴とする請求項１〜６のいずれか１項に記載の撮像レンズ。
０．０２＜ＴＨＩＬ２／ｆ＜０．２０      （８）
ただし、
ＴＨＩＬ２：前記第２レンズの光軸上の厚み(ｍｍ)
ｆ：前記撮像レンズ全系の焦点距離(ｍｍ) 
【請求項８】
以下の条件式を満足することを特徴とする請求項１〜７のいずれか１項に記載の撮像レンズ。
０．１０＜ＴＨＩＬ６／ｆ＜０．３０      （９）
ただし、
ＴＨＩＬ６：前記第６レンズの光軸上の厚み(ｍｍ)
ｆ：前記撮像レンズ全系の焦点距離(ｍｍ) 
【請求項９】
以下の条件式を満足することを特徴とする請求項１〜８のいずれか１項に記載の撮像レンズ。
２．０＜ＨＥＮＬ６＜５．０      （１０）
ただし、
ＨＥＮＬ６：前記第６レンズの偏肉比
【請求項１０】
前記第４レンズは負の屈折力を有し、以下の条件式を満足することを特徴とする請求項１〜９のいずれか１項に記載の撮像レンズ。
２０＜ν３−ν４＜７０      （１１）
ただし、
ν３：前記第３レンズのアッベ数
ν４：前記第４レンズのアッベ数
【請求項１１】
以下の条件式を満足することを特徴とする請求項１〜１０のいずれか１項に記載の撮像レンズ。
２０＜ν１−ν２＜７０      （１２）
ただし、
ν１：前記第１レンズのアッベ数
ν２：前記第２レンズのアッベ数
【請求項１２】
前記第６レンズの物体側面は非球面形状であり、光軸との交点以外の位置に極値を有することを特徴とする請求項１〜１１のいずれか１項に記載の撮像レンズ。
【請求項１３】
前記第２レンズの像側面は光軸から離れるにしたがって単調に像側へ倒れる形状をしていることを特徴とする請求項１〜１２のいずれか１項に記載の撮像レンズ。
【請求項１４】
前記第３レンズは周辺部で物体側に倒れるような形状をしていることを特徴とする請求項１〜１３のいずれか１項に記載の撮像レンズ。
【請求項１５】
実質的に屈折力を有しないレンズを有することを特徴とする請求項１〜１４のいずれかに記載の撮像レンズ。
【請求項１６】
請求項１〜１５のいずれかに１項に記載の撮像レンズを有することを特徴とする撮像装置。
【請求項１７】
請求項１６に記載の撮像装置を有することを特徴とする携帯端末。
【発明の詳細な説明】
【技術分野】
【０００１】
本発明は、ＣＣＤ型イメージセンサあるいはＣＭＯＳ型イメージセンサ等の固体撮像素子を用いた撮像レンズ、撮像装置、およびこれを備える携帯端末に関する。
【背景技術】
【０００２】
近年、CCD型イメージセンサやCMOS型イメージセンサ等の固体撮像素子を用いた撮像装置が搭載された携帯端末の普及の増大に伴い、より高画質の画像が得られるよう、高画素数をもつ撮像素子を使用した撮像装置が搭載されたものが市場に供給されるようになってきた。従来の高画素数をもつ一般的な撮像素子は大型化をともなっていたが、近年、画素の微細化が進み、撮像素子が小型化されるようになってきた。このような微細化された撮像素子に使用される撮像レンズは高い解像力が要求されるが、解像力はＦナンバーにより限界があり、Ｆナンバーの小さい明るいレンズの方が高解像力を得られるため、従来のようにＦ２．８程度のＦナンバーでは十分な性能が得られなくなってきた。そこで、高画素化、微細化、小型化された撮像素子に適した、Ｆ２．４以上に明るい撮像レンズが求められるようになってきた。このような用途の撮像レンズとしては、４枚あるいは５枚構成のレンズに比べ大口径比化および高性能化が可能である６枚構成の撮像レンズが提案されている。【０００３】
６枚構成の撮像レンズとして、物体側より順に正の屈折力を有する第１レンズ、負の屈折力を有する第２レンズ、開口絞り、正の屈折力を有する第３レンズ、負の屈折力を有する第４レンズ、正の屈折力を有する第５レンズ、負の屈折力を有する第６レンズで構成された撮像レンズが、例えば特許文献１に開示されている。
【先行技術文献】
【特許文献】
【０００４】
【特許文献１】特開２０１２−１５５２２３号公報
【特許文献２】米国特許公開第２０１２／０１８８６５４号明細書
【発明の概要】
【発明が解決しようとする課題】
【０００５】
しかしながら、上記特許文献１に記載の撮像レンズは、開口絞りが第２レンズの後方に配置されており、良好なテレセントリック特性を確保するためには撮像レンズ全長を大きくしなければならず、小型化には不向きである。【０００６】
また、特許文献１と似たような構成で、物体側より順に正の屈折力を有する第１レンズ、負の屈折力を有する第２レンズ、負の屈折力を有する第３レンズ、正の屈折力を有する第４レンズ、正の屈折力を有する第５レンズ、負の屈折力を有する第６レンズで構成された撮像レンズが、例えば特許文献２に開示されている。【０００７】
しかしながら、上記特許文献２に記載の撮像レンズは、収差補正が不十分で十分な小型化ができているとはいいがたい。また、ＦナンバーがＦ２．８と暗い撮像レンズであり、近年の高画素化、高性能化への対応ができていない。【０００８】
本発明は、このような問題点に鑑みてなされたものであり、従来タイプより小型でありながらも、諸収差が良好に補正された、Ｆ２．４以上の明るさを持つ６枚構成の撮像レンズ及びそれを用いた撮像装置並びに携帯端末を提供することを目的とする。【０００９】
ここで、小型の撮像レンズの尺度であるが、本発明では下式を満たすレベルの小型化を目指している。この範囲を満たすことで、撮像装置全体の小型軽量化が可能となる。
Ｌ／２Ｙ＜０．９０      （１３）
ただし、
Ｌ：撮像レンズ全系の最も物体側のレンズ面から像側焦点までの光軸上の距離
２Ｙ：固体撮像素子の撮像面対角線長（固体撮像素子の矩形実効画素領域の対角線長）【００１０】
ここで、像側焦点とは撮像レンズに光軸と平行な平行光線が入射した場合の像点をいう。なお、撮像レンズの最も像側の面と像側焦点位置との間に、光学的ローパスフィルタ、赤外線カットフィルタ、または固体撮像素子パッケージのシールガラス等の平行平板が配置される場合には、平行平板部分は空気換算距離としたうえで上記Ｌの値を計算するものとする。また、より望ましくは下式の範囲が良い。
Ｌ／２Ｙ＜０．８０      （１３）’
【課題を解決するための手段】
【００１１】
本発明による撮像レンズは、固体撮像素子の光電変換部に被写体像を結像させるための撮像レンズであって、
Ｆ２．４以上の明るさを有し、物体側より順に、正の屈折力を有し光軸近傍で物体側に凸面を向け、像側面よりも物体側面の方が強い曲率を有する第１レンズ、負の屈折力を有する第２レンズ、正の屈折力を有する第３レンズ、第４レンズ、第５レンズ、負の屈折力を有し光軸近傍で像側に凹面を向けた第６レンズ、からなり、
前記第６レンズの像側面は非球面形状であり、光軸との交点以外の位置に極値を有し、  開口絞りが前記第２レンズ像側面よりも物体側に配置され、
以下の条件式を満足することを特徴とする。
４０．０＜ν３＜６５．０          （１）
０．０５＜ｄ８／ｆ＜０．１５      （２）
ただし、
ν３：前記第３レンズのアッベ数
ｄ８：前記第４レンズと前記第５レンズの光軸上の空気間隔(ｍｍ)
ｆ：前記撮像レンズ全系の焦点距離(ｍｍ)【００１２】
小型で収差の良好に補正された撮像レンズを得るための本発明の基本構成は、物体側より順に、正の屈折力を有し光軸近傍で物体側に凸面を向け、像側面よりも物体側面の方が強い曲率を有する第１レンズ、負の屈折力を有する第２レンズ、正の屈折力を有する第３レンズ、第４レンズ、第５レンズ、負の屈折力を有し光軸近傍で像側に凹面を向けた第６レンズ、からなる。物体側より順に、第１レンズ、第２レンズ、第３レンズ、第４レンズ、第５レンズからなる正レンズ群と、負の第６レンズを配置する、いわゆるテレフォトタイプのこのレンズ構成は、撮像レンズ全長の小型化には有利な構成である。【００１３】
また、６枚構成のうち２枚以上を負レンズとすることで、発散作用を有する面を多くしてペッツバール和の補正を容易とし、画面周辺部まで良好な結像性能を確保した撮像レンズを得ることが可能となる。さらに、第１レンズの物体側面を凸面とし、像側面よりも物体側面の方が強い曲率を有する形状することで、撮像レンズ全系の合成主点位置をより物体側へ寄せることができ、撮像レンズ全長の小型化に有利となる。【００１４】
また、第３レンズを正レンズとすることで、第１レンズから第３レンズまでを正負正の順に配置する、所謂トリプレットタイプとすることで、球面収差や像面湾曲を良好に補正することができる。【００１５】
また、最も像側に配置された第６レンズの像側面を非球面とすることで、画面周辺部での諸収差を良好に補正することができる。さらに、光軸との交点以外の位置に極値を持つ非球面形状とすることで、像側光束のテレセントリック特性が確保しやすくなる。ここで、「極値」とは有効半径内でのレンズ断面形状の曲線において、非球面頂点の接平面が光軸と垂直な平面となるような非球面上の点のことである。【００１６】
また、開口絞りを第２レンズ像側面よりも物体側に配置することで、撮像レンズ全長の小型化と良好なテレセントリック特性の両立を行うことができる。さらに、撮像レンズのＦナンバーをＦ２．４以上（Ｆ値が小さい）の明るさとすることで、近年の高性能化に対応できる撮像レンズを得ることができる。【００１７】
条件式（１）は第３レンズの材料のアッベ数を規定し、撮像レンズ全体の色収差をバランスよく補正するための条件式である。第３レンズを条件式（１）の範囲の材料で構成することにより、軸上色収差と倍率色収差をバランス良く補正することができるようになる。また、より望ましくは下式の範囲がよい。
４５．０＜ν３＜６０．０      （１）’【００１８】
条件式（２）は第４レンズと第５レンズの光軸上の空気間隔を適切に設定するための条件式である。条件式（２）の値が下限を上回ることで、第４レンズと第５レンズが近づきすぎることがなくなり、周辺部の非球面量が大きな第４レンズと第５レンズが近接することによる、レンズ偏芯発生時の性能劣化を小さくすることができる。一方、条件式（２）の値が上限を下回ることで、第３レンズと第４レンズを適度に離間させることができるので、第４レンズを通過する各像高の光束を個別に収差補正しやすくすることができるようになる。特にＦ２．４以上の明るさを有するレンズ系では、周辺性能を確保するのが難しくなってくるため、各像高の光束を個別に収差補正することが重要となってくる。また、より望ましくは下式の範囲がよい。
０．０５＜ｄ８／ｆ＜０．１３      （２）’【００１９】
本発明による撮像装置は、上記撮像レンズを有することを特徴とする。【００２０】
本発明による携帯端末は、上記撮像装置を有することを特徴とする。
【発明の効果】
【００２１】
本発明によれば、従来タイプより小型でありながらも、諸収差が良好に補正された、Ｆ２．４以上の明るさを持つ６枚構成の撮像レンズ及びそれを用いた撮像装置並びに携帯端末を提供することができる。
【図面の簡単な説明】
【００２２】
【図１】本実施形態にかかる撮像ユニット５０の斜視図である。
【図２】撮像ユニット５０の撮像光学系の光軸に沿った断面を模式的に示した図である。
【図３】撮像ユニットを適用した携帯端末としてのスマートフォンの正面図（ａ）、及び撮像ユニットを適用したスマートフォンの背面図（ｂ）である。
【図４】図３のスマートフォンの制御ブロック図である。
【図５】実施例１の撮像レンズの光軸方向断面図である。
【図６】実施例１の収差図（球面収差（ａ）、非点収差（ｂ）、歪曲収差（ｃ）、メリディオナルコマ収差図（ｄ））である。
【図７】実施例２の撮像レンズの光軸方向断面図である。
【図８】実施例２の収差図（球面収差（ａ）、非点収差（ｂ）、歪曲収差（ｃ）、メリディオナルコマ収差図（ｄ））である。
【図９】実施例３の撮像レンズの光軸方向断面図である。
【図１０】実施例３の収差図（球面収差（ａ）、非点収差（ｂ）、歪曲収差（ｃ）、メリディオナルコマ収差図（ｄ））である。
【図１１】実施例４の撮像レンズの光軸方向断面図である。
【図１２】実施例４の収差図（球面収差（ａ）、非点収差（ｂ）、歪曲収差（ｃ）、メリディオナルコマ収差図（ｄ））である。
【図１３】実施例５の撮像レンズの光軸方向断面図である。
【図１４】実施例５の収差図（球面収差（ａ）、非点収差（ｂ）、歪曲収差（ｃ）、メリディオナルコマ収差図（ｄ））である。
【図１５】実施例６の撮像レンズの光軸方向断面図である。
【図１６】実施例６の収差図（球面収差（ａ）、非点収差（ｂ）、歪曲収差（ｃ）、メリディオナルコマ収差図（ｄ））である。
【発明を実施するための形態】
【００２３】
以下、本発明の実施形態を、図面を参照して説明する。図１は、本実施形態にかかる撮像ユニット５０の斜視図であり、図２は、撮像ユニット５０の撮像レンズの光軸に沿った断面を模式的に示した図である。
【００２４】
図１、２に示すように、撮像ユニット５０は、光電変換部５１ａを有する固体撮像素子としてのＣＭＯＳ型撮像素子５１と、この撮像素子５１の光電変換部５１ａに被写体像を撮像させる撮像レンズ１０と、撮像レンズ１０を保持する鏡筒５３と、撮像レンズ１０と撮像素子５１の間に配置された平行平板状の光学フィルタ５４と、撮像レンズ１０を駆動するアクチュエータ５５と、撮像素子５１を実装した基板５２と、撮像レンズ１０及びアクチュエータ５５を保持する台座部材５７とを有する。
【００２５】
図２に示すように、撮像素子５１は、その受光側の平面の中央部に、画素（光電変換素子）が２次元的に配置された、受光部としての光電変換部５１ａが形成されており、その周囲には信号処理回路（不図示）が形成されている。かかる信号処理回路は、各画素を順次駆動し信号電荷を得る駆動回路部と、各信号電荷をデジタル信号に変換するＡ／Ｄ変換部と、このデジタル信号を用いて画像信号出力を形成する信号処理部等から構成されている。また、撮像素子５１の受光側の平面の外縁近傍には、多数のパッド（図示略）が配置されており、ワイヤ５１ｂを介して基板５２に接続されている。撮像素子５１は、光電変換部５１ａからの信号電荷をデジタルＹＵＶ信号等の画像信号等に変換し、ワイヤ（不図示）を介して基板５２上の所定の回路に出力する。ここで、Ｙは輝度信号、Ｕ（＝Ｒ−Ｙ）は赤と輝度信号との色差信号、Ｖ（＝Ｂ−Ｙ)は青と輝度信号との色差信号である。なお、撮像素子は上記ＣＭＯＳ型のイメージセンサに限定されるものではなく、ＣＣＤ等の他のものを使用しても良い。
【００２６】
樹脂により一体成形された台座部材５７は、全体的に直方体の筐体状であり、撮像素子５１を囲うように設けられた４つの側壁部５７ａと、その上端に交差する上壁部５７ｂとを有する。上壁部５７ｂの中央には、矩形状の開口５７ｃが形成されており、かかる開口５７ｃを覆うようにして上壁部５７ｂに光学フィルタ５４が取り付けられている。基板５２は、その上面で撮像素子５１及び台座部材５７を支持している。
【００２７】
アクチュエータ５５は、鏡筒５３にねじ込まれた筒状のキャリヤ５５ａと、キャリヤ５５ａに取り付けられ光軸方向に延在するコイル５５ｂと、コイル５５ｂに対抗して配置された磁石５５ｃと、磁石５５ｃを支持した筐体状のヨーク５５ｄとからなっている。コイル５５ｂは、不図示の配線を介して外部回路に接続されている。ヨーク５５ｄの下端は、台座部材５７の上壁部５７ｂ上に接着されている。また、キャリヤ５５ａは不図示の弾性部材により撮像素子５１方向に付勢されている。
【００２８】
鏡筒５３の物体側に、小開口（ここでは開口絞り）Ｓが設けられたフランジ部５３ａが形成されている。
【００２９】
鏡筒５３内に配置された撮像レンズ１０は、物体側より順に、正の屈折力を有し光軸近傍で物体側に凸面を向け、像側面よりも物体側面の方が強い曲率（小さい曲率半径）を有する第１レンズＬ１、負の屈折力を有する第２レンズＬ２、正の屈折力を有する第３レンズＬ３、第４レンズＬ４、第５レンズＬ５、負の屈折力を有し光軸近傍で像側に凹面を向けた第６レンズＬ６、からなる。第１レンズＬ１〜Ｌ５までは、それぞれフランジ同士を直接突き合わせて光軸方向間隔を調整しており、突き合わせたフランジの内側に遮光絞りＳＨ１〜ＳＨ４を設けている。第５レンズＬ５と第６レンズＬ６は、遮光絞りＳＨ５をフランジ間に介在させて光軸方向間隔を調整している。
【００３０】
第２レンズＬ２の像側面は光軸から離れるにしたがって単調に像側へ倒れる形状をしている。第３レンズＬ３は周辺部で物体側に倒れるような形状をしている。第６レンズＬ６の像側面は非球面形状であり、光軸との交点以外の位置に極値Ｐ(片側のみ図示)を有している。開口絞りＳが第２レンズＬ２の像側面よりも物体側に配置され、ここでは第１レンズＬ１の物体側に設けられている。又、撮像レンズ１０は、以下の条件式を満足する。
４０．０＜ν３＜６５．０          （１）
０．０５＜ｄ８／ｆ＜０．１５      （２）
ただし、
ν３：第３レンズＬ３のアッベ数
ｄ８：第４レンズＬ４と第５レンズＬ５の光軸上の空気間隔(ｍｍ)
ｆ：撮像レンズ１０全系の焦点距離(ｍｍ)
【００３１】
上述した撮像ユニット５０の動作について説明する。図３（ａ）（ｂ）は、撮像ユニット５０を携帯端末としてのスマートフォン１００に装備した状態を示す図である。また、図４はスマートフォン１００の制御ブロック図である。
【００３２】
撮像ユニット５０は、例えば、鏡筒５３の物体側端面がスマートフォン１００の背面（図３（ｂ）参照）に設けられ、タッチパネル７０の裏側に相当する位置に配設される。
【００３３】
撮像ユニット５０は、スマートフォン１００の制御部１０１と接続され、輝度信号や色差信号等の画像信号を制御部１０１側に出力する。
【００３４】
一方、スマートフォン１００は、図４に示すように、各部を統括的に制御すると共に、各処理に応じたプログラムを実行する制御部（ＣＰＵ）１０１と、番号等をキーにより指示入力するための入力部６０と、所定のデータの他に撮像した映像等を表示する液晶表示部７０と、外部サーバとの間の各種情報通信を実現するための無線通信部８０と、携帯電話機１００のシステムプログラムや各種処理プログラム及び端末ＩＤ等の必要な諸データを記憶している記憶部（ＲＯＭ）９１と、制御部１０１によって実行される各種処理プログラムやデータ、若しくは処理データ、或いは撮像ユニット５０により得られた撮像データ等を一時的に格納する作業領域として用いられる及び一時記憶部（ＲＡＭ）９２とを備えている。
【００３５】
スマートフォン１００は、入力部６０の操作によって動作し、タッチパネル（表示部）７０に表示されたアイコン７１等をタッチすることで、撮像ユニット５０を動作させて撮像を行うことができる。このとき、アクチュエータ５５を駆動することで、撮像レンズ１０とともに鏡筒５３を光軸方向に移動させフォーカシングを行うことができる。撮像ユニット５０から入力された画像信号は、制御部１０１で画像処理を施され、上記スマートフォン１００の制御系により、記憶部９２に記憶されたり、或いはタッチパネル７０で表示され、さらには、無線通信部８０を介して映像情報として外部に送信される。
【００３６】
［実施例］
【００３７】
以下、本発明の撮像レンズの実施例を示す。各実施例に使用する記号は下記の通りである。長さの単位はｍｍである。
ｆ：撮像レンズ全系の焦点距離
ｆＢ：バックフォーカス
Ｆ：Ｆナンバー
２Ｙ：固体撮像素子の撮像面対角線長
ENTP：入射瞳位置（第１面から入射瞳位置までの距離）
EXTP：射出瞳位置（撮像面から射出瞳位置までの距離）
H1：前側主点位置（第１面から前側主点位置までの距離）
H2：後側主点位置（最終面から後側主点位置までの距離）
Ｒ：曲率半径
Ｄ：軸上面間隔
Ｎｄ：レンズ材料のｄ線に対する屈折率
νｄ：レンズ材料のアッベ数
【００３８】
各実施例において、各面番号の後に「＊」が記載されている面が非球面形状を有する面であり、非球面の形状は、面の頂点を原点とし、光軸方向にＸ軸をとり、光軸と垂直方向の高さをｈとして以下の「数１」で表す。
【００３９】
【数１】
2014175058.tif 000003
ただし、
Ａｉ：ｉ次の非球面係数
Ｒ  ：曲率半径
Ｋ  ：円錐定数
【００４０】
なお、特許請求の範囲及び実施例に記載の近軸曲率半径の意味合いについて、実際のレンズ測定の場面においては、レンズ中央近傍（具体的には、レンズ外径に対して１０％以内の中央領域）での形状測定値を最小自乗法でフィッティングした際の近似曲率半径を近軸曲率半径であるとみなすことができる。また、例えば２次の非球面係数を使用した場合には、非球面定義式の基準曲率半径に２次の非球面係数も勘案した曲率半径を近軸曲率半径とみなすことができる。（例えば参考文献として、松居吉哉著「レンズ設計法」（共立出版株式会社）のＰ４１〜４２を参照のこと）
【００４１】
（実施例１）
実施例１のレンズデータを表１に示す。なお、これ以降（表のレンズデータを含む）において、１０のべき乗数（たとえば２．５×１０-02）を、Ｅ（たとえば２．５Ｅ−０２）を用いて表すものとする。
【００４２】
［表１］
実施例１
f=3.68mm    fB=0.38mm    F=2.08      2Y=5.842mm 
ENTP=0mm    EXTP=-2.06mm    H1=-1.87mm    H2=-3.3mm 
面番号  R(mm)   D(mm)      Nd       νd    有効半径(mm) 
1(絞り)  ∞     -0.24                         0.88 
2*     1.483     0.47    1.54470     56.2     0.91 
3*   171.642     0.09                        0.91 
4*    35.177     0.15    1.63470     23.9     0.91 
5*     2.761     0.39                        0.89  
6*    11.100     0.39    1.54470     56.2     0.97  
7*   -14.430     0.13                        1.09  
8*    -5.348     0.20    1.63470     23.9     1.12  
9*   -11.205     0.40                        1.24 
10*   -22.120     0.54    1.54470     56.2     1.44  
11*    -1.201     0.42                        1.71 
12*    -2.732     0.31    1.54470     56.2     2.36  
13*     1.511     0.40                        2.56 
14       ∞       0.11    1.51630     64.1     3.00  
15       ∞                                   3.00  
非球面係数 
第2面                      第8面    
K= 0.11064E+00             K= 0.0     
A4= 0.77619E-02            A4= -0.83830E-01    
A6= -0.14994E-02           A6= -0.72201E-02    
A8= -0.14046E-02           A8= -0.12901E-02    
A10= 0.18350E-01           A10= -0.69251E-02    
A12= 0.49521E-02           A12= 0.52899E-02 
A14= -0.29657E-01   
第3面                      第9面  
K= -0.80000E+02            K= 0.33633E+02 
A4= 0.22449E-01            A3= 0.12200E-01 
A6= 0.10582E-01            A4= -0.12793E+00    
A8= 0.17426E-01            A5= 0.28268E-01 
A10= -0.33613E-01          A6= -0.64956E-02    
A12= -0.33805E-01          A8= -0.76012E-02    
A14= 0.18767E-01           A10= 0.10413E-01 
A12= -0.15621E-02    
A14= 0.34072E-02 
第4面                      第10面  
K= -0.80000E+02            K= -0.75104E+02    
A4= -0.16460E-01           A3= -0.81216E-01    
A6= 0.13414E+00            A4= 0.15296E+00 
A8= -0.70650E-01           A5= -0.14967E+00    
A10= -0.51751E-01          A6= -0.85533E-02    
A12= 0.18357E-01           A8= 0.37480E-01 
A14= 0.30319E-01           A10= -0.14685E-01    
A12= -0.76921E-02    
A14= 0.40260E-02 
第5面                      第11面  
K= -0.11872E+02            K= -0.55040E+01    
A3= -0.25270E-01           A3= -0.72660E-01    
A4= 0.99110E-01            A4= -0.22212E-01    
A5= -0.10822E-01           A5= 0.23796E-01 
A6= 0.54576E-01            A6= 0.22744E-01 
A8= 0.20300E-01            A8= -0.14054E-01    
A10= -0.20055E-02          A10= 0.15688E-02 
A12= -0.29972E-01          A12= 0.13325E-02 
A14= 0.77829E-01           A14= -0.37055E-03    
第6面                      第12面  
K= 0.74735E+02             K= -0.28647E+01    
A3= 0.96936E-02            A3= -0.84014E-01    
A4= -0.79431E-01           A4= 0.58462E-02 
A5= -0.88704E-01           A5= 0.81861E-02 
A6= 0.34259E-01            A6= 0.72514E-02 
A8= 0.11055E-04            A8= -0.26347E-03    
A10= -0.39325E-01          A10= -0.16534E-03    
A12= -0.21838E-03          A12= 0.50431E-05 
A14= 0.20072E-01           A14= 0.12351E-05 
第7面                      第13面  
K= 0.0                     K= -0.98202E+01    
A4= -0.43177E-01           A3= -0.96722E-01    
A6= -0.70355E-01           A4= 0.14664E-01 
A8= -0.12578E-01           A5= 0.56974E-02 
A10= 0.22162E-01           A6= -0.81339E-03    
A12= -0.25624E-01          A8= -0.99909E-03    
A10= 0.74992E-04 
A12= 0.98469E-06 
A14= 0.40160E-06 
単レンズデータ  
レンズ  始面    焦点距離(mm)  
1        2       2.743  
2        4      -4.728  
3        6      11.580  
4        8     -16.335  
5       10       2.310  
6       12      -1.741 
【００４３】
図５は実施例１のレンズの断面図である。図中、正の屈折力を有し光軸近傍で物体側に凸面を向け、像側面よりも物体側面の方が強い曲率を有する第１レンズＬ１、負の屈折力を有する第２レンズＬ２、正の屈折力を有する第３レンズＬ３、負の屈折力を有する第４レンズＬ４、正の屈折力を有する第５レンズＬ５、負の屈折力を有し光軸近傍で像側に凹面を向けた第６レンズＬ６、からなる。Ｆナンバーは２．０８である。開口絞りＳは、第１レンズＬ１の物体側面の有効径より物体側に配置されている。Iは撮像面を示す。また、Ｆは光学的ローパスフィルタやＩＲカットフィルタ、固体撮像素子のシールガラス等を想定した平行平板である。図６は実施例１の収差図（球面収差（ａ）、非点収差（ｂ）、歪曲収差（ｃ）、メリディオナルコマ収差図（ｄ））である。ここで、球面収差図、メリディオナルコマ収差図において、実線はｄ線、点線はｇ線に対する球面収差量、コマ収差量をそれぞれ表し、非点収差図において、実線Ｓはサジタル面、点線Ｍはメリディオナル面を表す（以下、同じ）。
【００４４】
（実施例２）
実施例２の撮像レンズのレンズデータを、表２に示す。
【００４５】
［表２］
実施例２  
f=3.68mm    fB=0.22mm    F=2.06      2Y=5.842mm 
ENTP=0mm    EXTP=-2.29mm    H1=-1.7mm    H2=-3.45mm 
面番号  R(mm)   D(mm)     Nd        νd    有効半径(mm)   
1(絞り)  ∞     -0.25                        0.89 
2*      1.502    0.50    1.54470     56.2     0.92  
3*   -109.088    0.08                        0.92  
4*     19.666    0.15    1.63470     23.9     0.91  
5*      2.544    0.43                        0.90  
6*     26.009    0.38    1.54470     56.2     0.99  
7*     -6.913    0.10                        1.10  
8*     -3.318    0.20    1.63470     23.9     1.14  
9*     -4.723    0.42                        1.24 
10*    -13.234    0.58    1.54470     56.2     1.44  
11*     -1.109    0.35                        1.70  
12*     -3.182    0.31    1.54470     56.2     2.38  
13*      1.286    0.60                        2.58  
14        ∞     0.11     1.51630     64.1    3.00  
15        ∞                                 3.00  
非球面係数 
第2面                     第8面  
K= 0.12069E+00             K= 0.0     
A4= 0.62128E-02            A4= -0.41360E-01    
A6= 0.27993E-02            A6= -0.14427E-02    
A8= -0.13978E-04           A8= -0.48378E-02    
A10= 0.15304E-01           A10= -0.46095E-02    
A12= 0.81189E-02           A12= 0.54066E-02 
A14= -0.24586E-01  
第3面                      第9面  
K= 0.78940E+02             K= -0.86499E+01    
A4= 0.24770E-01            A3= 0.12179E-01 
A6= 0.21902E-01            A4= -0.10842E+00    
A8= 0.87637E-02            A5= 0.27021E-01 
A10= -0.45072E-01          A6= -0.85621E-02    
A12= -0.32233E-01          A8= -0.71771E-02    
A14= 0.23275E-01           A10= 0.11311E-01 
A12= -0.14557E-02    
A14= 0.27447E-02 
第4面                      第10面  
K= -0.61452E+01            K= 0.79990E+02 
A4= -0.21904E-01           A3= -0.71966E-01    
A6= 0.12725E+00            A4= 0.14033E+00 
A8= -0.76644E-01           A5= -0.16729E+00    
A10= -0.69816E-01          A6= -0.31809E-02    
A12= 0.38044E-02           A8= 0.46165E-01 
A14= 0.43961E-01           A10= -0.16904E-01    
A12= -0.86245E-02    
A14= 0.47722E-02 
第5面                      第11面   
K= -0.11453E+02            K= -0.53254E+01    
A3= -0.24116E-01           A3= -0.59461E-01    
A4= 0.10536E+00            A4= -0.37309E-01    
A5= -0.22029E-02           A5= 0.15122E-01 
A6= 0.40139E-01            A6= 0.20470E-01 
A8= -0.53939E-02           A8= -0.12854E-01    
A10= -0.11449E-02          A10= 0.23633E-02 
A12= -0.18688E-01          A12= 0.14302E-02 
A14= 0.67803E-01           A14= -0.45843E-03    
第6面                      第12面  
K= 0.42598E+02             K= -0.34183E+01    
A3= 0.18653E-01            A3= -0.78483E-01    
A4= -0.10541E+00           A4= 0.41369E-02 
A5= -0.52108E-01           A5= 0.71609E-02 
A6= 0.45716E-01            A6= 0.68382E-02 
A8= -0.31439E-01           A8= -0.20906E-03    
A10= -0.35417E-01          A10= -0.14898E-03    
A12= 0.21941E-01           A12= 0.60853E-05 
A14= 0.68957E-02           A14= 0.85025E-06 
第7面                      第13面  
K= 0.0                     K= -0.91159E+01    
A4= -0.47259E-01           A3= -0.82494E-01    
A6= -0.49230E-01           A4= 0.99966E-02 
A8= -0.10531E-01           A5= 0.41382E-02 
A10= 0.63567E-02           A6= -0.27724E-03    
A12= -0.17266E-01          A8= -0.84719E-03    
A10= 0.76953E-04 
A12= -0.53432E-06    
A14= 0.34889E-06 
単レンズデータ  
レンズ  始面    焦点距離(mm) 
1        2        2.725 
2        4       -4.619 
3        6       10.067 
4        8      -18.588  
5       10        2.185 
6       12       -1.641  
【００４６】
図７は実施例２のレンズの断面図である。図中、正の屈折力を有し光軸近傍で物体側に凸面を向け、像側面よりも物体側面の方が強い曲率を有する第１レンズＬ１、負の屈折力を有する第２レンズＬ２、正の屈折力を有する第３レンズＬ３、負の屈折力を有する第４レンズＬ４、正の屈折力を有する第５レンズＬ５、負の屈折力を有し光軸近傍で像側に凹面を向けた第６レンズＬ６、からなる。Ｆナンバーは２．０６である。開口絞りＳは、第１レンズＬ１の物体側面の有効径より物体側に配置されている。Iは撮像面を示す。また、Ｆは光学的ローパスフィルタやＩＲカットフィルタ、固体撮像素子のシールガラス等を想定した平行平板である。図８は実施例２の収差図（球面収差（ａ）、非点収差（ｂ）、歪曲収差（ｃ）、メリディオナルコマ収差図（ｄ））である。
【００４７】
（実施例３）
実施例３の撮像レンズのレンズデータを、表３に示す。
【００４８】
［表３］
実施例３
f=3.68mm    fB=0.42mm    F=1.84      2Y=5.842mm 
ENTP=0mm    EXTP=-2.18mm    H1=-1.51mm    H2=-3.26mm  
面番号  R(mm)   D(mm)      Nd       νd    有効半径(mm)  
1(絞り)  ∞     -0.29                         1.00 
2*     1.599     0.58    1.54890     50.3     1.00 
3*   123.386     0.08                        0.94 
4*    20.225     0.15    1.67750     20.1     0.90  
5*     2.930     0.48                        0.82 
6*     8.071     0.34    1.54470     56.2     0.76 
7*    46.334     0.11                        0.72  
8*    14.675     0.20    1.63470     23.9     0.70  
9*     7.088     0.39                        0.68  
10*   -22.390     0.68    1.54470     56.2     0.58  
11*    -1.038     0.33                        0.48 
12*    -4.171     0.33    1.51530     56.6     0.24  
13*     1.107     0.40                        0.13  
14        ∞      0.11    1.51630     64.1    0.07 
15        ∞                                 0.10 
非球面係数 
第2面                      第8面 
K= 0.90136E-01             K= 0.0     
A4= 0.62088E-02            A4= -0.12171E+00    
A6= -0.31031E-03           A6= -0.18544E-01    
A8= -0.91505E-02           A8= -0.21266E-02    
A10= 0.16634E-01           A10= -0.51285E-02    
A12= 0.87033E-02           A12= 0.64902E-02 
A14= -0.21104E-01  
第3面                      第9面 
K= -0.17429E+02            K= -0.23270E+02    
A4= 0.10420E-01            A3= 0.93551E-02 
A6= 0.16472E-01            A4= -0.14221E+00    
A8= 0.99197E-02            A5= 0.20010E-01 
A10= -0.35411E-01          A6= -0.11598E-01    
A12= -0.28804E-01          A8= -0.11738E-01    
A14= 0.24644E-01           A10= 0.70468E-02 
A12= -0.32261E-02    
A14= 0.31645E-02 
第4面                      第10面          
K= -0.79883E+02            K= 0.80000E+02 
A4= -0.37041E-01           A3= -0.74349E-01    
A6= 0.12556E+00            A4= 0.15344E+00 
A8= -0.66051E-01           A5= -0.14053E+00    
A10= -0.47567E-01          A6= -0.10310E-01    
A12= 0.15305E-01           A8= 0.36495E-01 
A14= 0.28341E-01           A10= -0.12425E-01    
A12= -0.70941E-02    
A14= 0.32450E-02 
第5面                      第11面   
K= -0.15300E+02            K= -0.55642E+01    
A3= -0.18666E-01           A3= -0.10000E+00    
A4= 0.83056E-01            A4= -0.33235E-01    
A5= -0.28818E-01           A5= 0.21592E-01 
A6= 0.54738E-01            A6= 0.24639E-01 
A8= 0.15866E-01            A8= -0.13269E-01    
A10= -0.19605E-01          A10= 0.14174E-02 
A12= -0.45484E-01          A12= 0.12894E-02 
A14= 0.74296E-01           A14= -0.32676E-03    
第6面                      第12面  
K= 0.51365E+02             K= -0.77089E+00    
A3= -0.59682E-02           A3= -0.10220E+00    
A4= -0.25343E-01           A4= 0.31977E-02 
A5= -0.94375E-01           A5= 0.85425E-02 
A6= 0.11983E-01            A6= 0.77410E-02 
A8= 0.45669E-02            A8= -0.14940E-03    
A10= -0.31903E-01          A10= -0.15309E-03    
A12= -0.57207E-02          A12= 0.53890E-05 
A14= 0.42809E-02           A14= 0.73836E-06 
第7面                      第13面  
K= 0.0                     K= -0.76119E+01    
A4= -0.15724E-01           A3= -0.97006E-01    
A6= -0.67167E-01           A4= 0.17677E-01 
A8= -0.15241E-01           A5= 0.59811E-02 
A10= 0.25420E-01           A6= -0.11827E-02    
A12= -0.18803E-01          A8= -0.97905E-03    
A10= 0.89522E-04 
A12= 0.16991E-05 
A14= -0.49666E-07    
単レンズデータ  
レンズ  始面    焦点距離(mm) 
1        2       2.946  
2        4      -5.075 
3        6      17.886  
4        8     -21.825  
5       10       1.976  
6       12      -1.663 
【００４９】
図９は実施例３のレンズの断面図である。図中、正の屈折力を有し光軸近傍で物体側に凸面を向け、像側面よりも物体側面の方が強い曲率を有する第１レンズＬ１、負の屈折力を有する第２レンズＬ２、正の屈折力を有する第３レンズＬ３、負の屈折力を有する第４レンズＬ４、正の屈折力を有する第５レンズＬ５、負の屈折力を有し光軸近傍で像側に凹面を向けた第６レンズＬ６、からなる。Ｆナンバーは１．８４である。開口絞りＳは、第１レンズＬ１の物体側面の有効径より物体側に配置されている。Iは撮像面を示す。また、Ｆは光学的ローパスフィルタやＩＲカットフィルタ、固体撮像素子のシールガラス等を想定した平行平板である。図１０は実施例３の収差図（球面収差（ａ）、非点収差（ｂ）、歪曲収差（ｃ）、メリディオナルコマ収差図（ｄ））である。
【００５０】
（実施例４）
実施例４の撮像レンズのレンズデータを、表４に示す。
【００５１】
［表４］
実施例４
f=3.68mm    fB=0.3mm    F=1.86      2Y=5.842mm  
ENTP=0mm    EXTP=-2.26mm    H1=-1.62mm    H2=-3.38mm   
面番号  R(mm)   D(mm)     Nd        νd     有効半径(mm)  
1(絞り)  ∞     -0.33                          0.99 
2*      1.574    0.55    1.54470     56.2      1.05  
3*     22.259    0.08                         1.05  
4*      9.865    0.15    1.63470     23.9      1.04 
5*      2.638    0.40                          0.99  
6*      8.320    0.43    1.54470     56.2      1.04 
7*    115.518    0.21                         1.16  
8*     58.683    0.26    1.63470     23.9      1.19 
9*      9.787    0.27                         1.37  
10*    -62.209    0.73    1.54470     56.2      1.45  
11*     -1.091    0.38                         1.70  
12*     -3.646    0.23    1.54470     56.2      2.36 
13*      1.273    0.49                         2.59  
14         ∞     0.11    1.51630     64.1     2.87  
15         ∞                                 2.90  
非球面係数 
第2面                      第8面 
K= 0.10282E+00             K= 0.0     
A4= 0.50077E-02            A4= -0.14308E+00    
A6= -0.16639E-04           A6= -0.24846E-01    
A8= -0.75861E-02           A8= -0.53479E-02    
A10= 0.14284E-01           A10= 0.48472E-02 
A12= 0.80568E-02           A12= -0.72624E-03    
A14= -0.17859E-01  
第3面                       第9面 
K= 0.78869E+02              K= -0.80000E+02    
A4= 0.10225E-01             A3= 0.16404E-01 
A6= 0.14362E-01             A4= -0.15977E+00    
A8= 0.12681E-01             A5= 0.18467E-01 
A10= -0.28880E-01           A6= 0.35902E-02 
A12= -0.23698E-01           A8= -0.70663E-02    
A14= 0.16254E-01            A10= 0.29704E-02 
A12= -0.29238E-02    
A14= 0.25366E-02 
第4面                      第10面          
K= -0.80000E+02            K= 0.80000E+02 
A4= -0.30197E-01           A3= -0.51645E-01    
A6= 0.12161E+00            A4= 0.53889E-01 
A8= -0.51946E-01           A5= -0.11885E+00    
A10= -0.50088E-01          A6= 0.92526E-02 
A12= 0.55608E-02           A8= 0.29919E-01 
A14= 0.27505E-01           A10= -0.13066E-01    
A12= -0.58796E-02    
A14= 0.34011E-02 
第5面                      第11面          
K= -0.16938E+02            K= -0.63594E+01    
A4= 0.69576E-01            A3= -0.11351E+00    
A6= 0.52759E-01            A4= -0.32515E-01    
A8= -0.53316E-02           A5= 0.18679E-01 
A10= -0.13632E-01          A6= 0.18346E-01 
A12= -0.22016E-01          A8= -0.99971E-02    
A14= 0.53342E-01           A10= 0.19888E-02 
A12= 0.10348E-02 
A14= -0.32439E-03    
第6面                      第12面          
K= 0.56320E+02             K= -0.19161E+01    
A3= -0.15394E-01           A3= -0.85741E-01    
A4= -0.25711E-01           A4= 0.69095E-02 
A5= -0.79268E-01           A5= 0.76892E-02 
A6= 0.14590E-01            A6= 0.61694E-02 
A8= 0.25814E-02            A8= -0.19138E-03    
A10= -0.14865E-01          A10= -0.11753E-03    
A12= -0.64426E-02          A12= 0.59722E-05 
A14= -0.19014E-02          A14= 0.38901E-06 
第7面                      第13面          
K= 0.0                     K= -0.87609E+01    
A4= -0.70691E-01           A3= -0.93249E-01    
A6= -0.50026E-01           A4= 0.24764E-01 
A8= -0.23068E-02           A5= -0.39222E-04    
A10= 0.13138E-01           A6= -0.13579E-02    
A12= -0.15968E-01          A8= -0.27480E-03    
A10= 0.71990E-04 
A12= -0.75005E-05    
A14= 0.55560E-06 
単レンズデータ 
レンズ  始面    焦点距離(mm)  
1        2       3.080  
2        4      -5.718 
3        6      16.437  
4        8     -18.546  
5       10       2.030  
6       12      -1.703 
【００５２】
図１１は実施例４のレンズの断面図である。図中、正の屈折力を有し光軸近傍で物体側に凸面を向け、像側面よりも物体側面の方が強い曲率を有する第１レンズＬ１、負の屈折力を有する第２レンズＬ２、正の屈折力を有する第３レンズＬ３、負の屈折力を有する第４レンズＬ４、正の屈折力を有する第５レンズＬ５、負の屈折力を有し光軸近傍で像側に凹面を向けた第６レンズＬ６、からなる。Ｆナンバーは１．８６である。開口絞りＳは、第１レンズＬ１の物体側面の有効径より物体側に配置されている。Iは撮像面を示す。また、Ｆは光学的ローパスフィルタやＩＲカットフィルタ、固体撮像素子のシールガラス等を想定した平行平板である。図１２は実施例４の収差図（球面収差（ａ）、非点収差（ｂ）、歪曲収差（ｃ）、メリディオナルコマ収差図（ｄ））である。
【００５３】
（実施例５）
実施例５の撮像レンズのレンズデータを、表５に示す。
【００５４】
［表５］
実施例５
f=3.56mm    fB=0.16mm    F=1.65      2Y=5.842mm 
ENTP=0mm    EXTP=-2.36mm    H1=-1.49mm    H2=-3.41mm   
面番号  R(mm)   D(mm)     Nd        νd     有効半径(mm) 
1(絞り)  ∞     -0.32                          1.08 
2*      1.703    0.55    1.54470     56.2      1.08  
3*   -229.504    0.05                         1.02  
4*      4.175    0.15    1.63470     23.9      1.03  
5*      1.789    0.47                         1.02  
6*     25.184    0.50    1.77250     49.5      1.09 
7*     -9.595    0.23                         1.23  
8*      6.387    0.20    1.63470     23.9      1.25 
9*      3.675    0.42                         1.39 
10*   -101.489    0.44    1.77250     49.5      1.56 
11*     -2.236    0.66                         1.74  
12*     -3.067    0.31    1.54470     56.2      2.28  
13*      2.608    0.40                         2.51  
14         ∞     0.11    1.51630     64.1     3.00  
15         ∞                                 3.00 
非球面係数    
第2面                      第8面 
K= 0.15991E+00             K= -0.50593E+02    
A4= 0.55423E-02            A3= -0.94510E-01    
A6= -0.44549E-03           A4= -0.18138E+00    
A8= -0.84127E-05           A5= 0.13267E-01 
A10= 0.73967E-03           A6= 0.84246E-02 
A12= 0.17638E-02           A8= -0.48239E-02    
A14= -0.73550E-03          A10= -0.61201E-03    
A12= 0.54320E-02 
第3面                      第9面 
K= -0.80000E+02            K= -0.80000E+02    
A4= 0.40098E-01            A3= -0.18600E-01    
A6= -0.16496E-01           A4= -0.14612E+00    
A8= 0.77773E-02            A5= -0.13597E-02    
A10= 0.25629E-02           A6= 0.86655E-02 
A12= -0.75795E-03          A8= 0.65943E-02 
A14= -0.19036E-02          A10= -0.98825E-03    
A12= -0.14005E-02    
A14= 0.15273E-02 
第4面                      第10面 
K= -0.80000E+02            K= -0.80000E+02    
A4= -0.17633E-01           A3= -0.52035E-01    
A6= 0.42447E-01            A4= 0.56611E-01 
A8= -0.85652E-02           A5= -0.46635E-01    
A10= 0.25604E-03           A6= -0.14548E-02    
A12= 0.25906E-02           A8= -0.32705E-04    
A14= -0.42292E-02          A10= -0.81689E-03    
A12= -0.56922E-04    
A14= -0.81130E-04    
第5面                      第11面 
K= -0.68329E+01            K= -0.94646E+01    
A3= -0.39263E-01           A3= -0.52721E-01    
A4= 0.54266E-01            A4= -0.18143E-01    
A5= -0.23027E-01           A5= 0.90387E-02 
A6= 0.47011E-01            A6= 0.38540E-02 
A8= 0.22065E-01            A8= -0.24205E-03    
A10= -0.14406E-01          A10= -0.34012E-03    
A12= 0.32416E-03           A12= -0.69904E-04    
A14= 0.77267E-02           A14= 0.18100E-04 
第6面                      第12面 
K= 0.59835E+02             K= -0.16325E+01    
A3= -0.15608E-01           A3= -0.17429E+00    
A4= 0.15523E-01            A4= 0.27513E-01 
A5= -0.78098E-01           A5= 0.15941E-01 
A6= 0.87948E-02            A6= 0.61049E-02 
A8= 0.16705E-01            A8= -0.24183E-03    
A10= -0.93955E-02          A10= -0.12498E-03    
A12= -0.99252E-02          A12= -0.11756E-04    
A14= 0.56624E-02           A14= 0.27433E-05 
第7面                      第13面  
K= 0.51010E+02             K= -0.44413E+02    
A3= -0.19386E-01           A3= -0.60792E-01    
A4= -0.44788E-01           A4= -0.72772E-02    
A5= 0.11236E-01            A5= 0.54928E-02 
A6= -0.34916E-01           A6= 0.73145E-05 
A8= -0.44265E-02           A8= -0.21514E-03    
A10= 0.12574E-01           A10= -0.31667E-04    
A12= -0.68618E-02          A12= -0.21883E-05    
A14= 0.12846E-05 
単レンズデータ  
レンズ  始面    焦点距離(mm)  
1        2       3.107  
2        4      -5.054  
3        6       9.051 
4        8     -14.037  
5       10       2.955  
6       12      -2.539 
【００５５】
図１３は実施例５のレンズの断面図である。図中、正の屈折力を有し光軸近傍で物体側に凸面を向け、像側面よりも物体側面の方が強い曲率を有する第１レンズＬ１、負の屈折力を有する第２レンズＬ２、正の屈折力を有する第３レンズＬ３、負の屈折力を有する第４レンズＬ４、正の屈折力を有する第５レンズＬ５、負の屈折力を有し光軸近傍で像側に凹面を向けた第６レンズＬ６、からなる。Ｆナンバーは１．６５である。開口絞りＳは、第１レンズＬ１の物体側面の有効径より物体側に配置されている。Iは撮像面を示す。また、Ｆは光学的ローパスフィルタやＩＲカットフィルタ、固体撮像素子のシールガラス等を想定した平行平板である。図１４は実施例５の収差図（球面収差（ａ）、非点収差（ｂ）、歪曲収差（ｃ）、メリディオナルコマ収差図（ｄ））である。
【００５６】
（実施例６）
実施例６の撮像レンズのレンズデータを、表６に示す。
【００５７】
［表６］
実施例６
f=3.35mm    fB=0.15mm    F=1.65      2Y=5.842mm 
ENTP=0mm    EXTP=-2.15mm    H1=-1.5mm    H2=-3.19mm 
面番号  R(mm)   D(mm)     Nd       νd     有効半径(mm) 
1(絞り)  ∞     -0.29                          1.01 
2*     1.564     0.54    1.54470     56.2      1.02  
3*   614.792     0.07                         0.96  
4*    14.534     0.15    1.63470     23.9      0.97  
5*     2.684     0.40                         0.96  
6*     9.735     0.41    1.54470     56.2      1.04 
7* -1760.042     0.22                         1.14 
8*   108.143     0.20    1.63470     23.9      1.15 
9*     4.956     0.18                         1.32  
10*     3.614     0.55    1.54470     56.2      1.55 
11*    -1.541     0.55                         1.74  
12*    -1.475     0.32    1.54470     56.2      2.28  
13*     4.313     0.40                         2.50  
14        ∞      0.11    1.51630     64.1     3.00  
15        ∞                                  3.00  
非球面係数  
第2面                      第8面  
K= 0.72556E-01             K= 0.0     
A4= 0.20791E-02            A4= -0.15333E+00    
A6= 0.14812E-02            A6= -0.36951E-01    
A8= -0.58685E-02           A8= -0.10701E-02    
A10= 0.75920E-02           A10= -0.10418E-01    
A12= 0.43861E-02           A12= -0.24241E-02    
A14= -0.69080E-02  
第3面                      第9面 
K= 0.80000E+02             K= -0.80000E+02    
A4= 0.24666E-01            A3= -0.12490E-01    
A6= -0.10702E-02           A4= -0.15608E+00    
A8= 0.10499E-01            A5= -0.87260E-03    
A10= -0.81495E-02          A6= -0.15361E-01    
A12= -0.74559E-02          A8= -0.59767E-02    
A14= 0.67307E-03           A10= 0.49169E-02 
A12= 0.12483E-02 
A14= 0.22352E-02 
第4面                      第10面  
K= 0.70686E+02             K= -0.26021E+01    
A4= -0.12214E-01           A3= -0.10207E+00    
A6= 0.76860E-01            A4= 0.76215E-01 
A8= -0.36811E-01           A5= -0.10697E+00    
A10= -0.12594E-01          A6= -0.29348E-02    
A12= 0.12139E-01           A8= 0.13840E-01 
A14= -0.65375E-02          A10= -0.35227E-02    
A12= -0.12829E-02    
A14= 0.75823E-03 
第5面                      第11面 
K= -0.76731E+01            K= -0.27950E+01    
A3= -0.21213E-01           A3= 0.17218E-02 
A4= 0.75427E-01            A4= -0.23019E-01    
A5= -0.44615E-03           A5= 0.69989E-02 
A6= 0.25218E-01            A6= 0.75162E-02 
A8= 0.14536E-01            A8= -0.37553E-02    
A10= 0.10164E-01           A10= 0.96280E-03 
A12= -0.13167E-01          A12= 0.35804E-03 
A14= 0.14364E-01           A14= -0.15223E-03    
第6面                      第12面          
K= 0.74589E+02             K= -0.15267E+01    
A3= -0.11933E-01           A3= -0.66238E-01    
A4= -0.19120E-01           A4= 0.25139E-01 
A5= -0.95967E-01           A5= 0.11447E-01 
A6= 0.26231E-02            A6= 0.46424E-02 
A8= 0.29553E-01            A8= -0.42441E-03    
A10= -0.17823E-01          A10= -0.13279E-03    
A12= -0.21758E-01          A12= -0.38106E-05    
A14= 0.17542E-01           A14= 0.23595E-05 
第7面                      第13面  
K= 0.0                     K= -0.80000E+02    
A4= -0.47416E-01           A3= -0.50311E-01    
A6= -0.86362E-01           A4= 0.10229E-01 
A8= -0.29910E-02           A5= 0.24123E-02 
A10= 0.26459E-01           A6= -0.19398E-02    
A12= -0.26301E-01          A8= -0.58071E-03    
A10= 0.36271E-04 
A12= 0.31198E-05 
A14= 0.41258E-06 
単レンズデータ  
レンズ  始面    焦点距離(mm)  
1        2       2.877  
2        4      -5.213 
3        6      17.776 
4        8      -8.189 
5       10       2.061  
6       12      -1.979 
【００５８】
図１５は実施例６のレンズの断面図である。図中、正の屈折力を有し光軸近傍で物体側に凸面を向け、像側面よりも物体側面の方が強い曲率を有する第１レンズＬ１、負の屈折力を有する第２レンズＬ２、正の屈折力を有する第３レンズＬ３、負の屈折力を有する第４レンズＬ４、正の屈折力を有する第５レンズＬ５、負の屈折力を有し光軸近傍で像側に凹面を向けた第６レンズＬ６、からなる。Ｆナンバーは１．６５である。開口絞りＳは、第１レンズＬ１の物体側面の有効径より物体側に配置されている。Iは撮像面を示す。また、Ｆは光学的ローパスフィルタやＩＲカットフィルタ、固体撮像素子のシールガラス等を想定した平行平板である。図１６は実施例６の収差図（球面収差（ａ）、非点収差（ｂ）、歪曲収差（ｃ）、メリディオナルコマ収差図（ｄ））である。
【００５９】
各条件式に対応する各実施例の値を表７に示す。
【００６０】
【表７】
2014175058.tif 000004
【００６１】
近年、撮像装置を低コストに且つ大量に実装する方法として、予め半田がポッティングされた基板に対し、ICチップその他の電子部品と光学素子とを載置したままリフロー処理（加熱処理）し、半田を溶融させることにより電子部品と光学素子とを基板に同時実装するという技術が提案されている。
【００６２】
このようなリフロー処理を用いて実装を行うためには、電子部品と共に光学素子を約200〜260度に加熱する必要があるが、このような高温下では熱可塑性樹脂を用いたレンズでは熱変形し或いは変色して、その光学性能が低下してしまうという問題点がある。このような問題を解決するための方法のひとつとして、耐熱性能に優れたガラスモールドレンズを使用し、小型化と高温環境での光学性能を両立する技術が提案されているが、熱可塑性樹脂を用いたレンズよりもコストが高いため、撮像装置の低コスト化の要求に応えられないという問題があった。
【００６３】
そこで、撮像レンズの材料にエネルギー硬化性樹脂を使用することで、ポリカーボネイト系やポリオレフィン系のような熱可塑性樹脂を用いたレンズに比べ、高温に曝されたときの光学性能の低下が小さいため、リフロー処理に有効であり、かつガラスモールドレンズよりも製造しやすく安価となり、撮像レンズを組み込んだ撮像装置の低コストと量産性を両立できる。なお、エネルギー硬化性樹脂とは、熱硬化性樹脂および紫外線硬化性樹脂のいずれをも指すものとする。
【００６４】
本発明の撮像レンズを前述のエネルギー硬化性樹脂も用いて形成しても良い。
【００６５】
なお、本実施例は、固体撮像素子の撮像面に入射する光束の主光線入射角については、撮像面周辺部において必ずしも十分小さい設計になっていない。しかし、最近の技術では、固体撮像素子の色フィルタやオンチップマイクロレンズアレイの配列の見直しによって、シェーディングを軽減することができるようになってきた。具体的には撮像素子の撮像面の画素ピッチに対し、色フィルタやオンチップマイクロレンズアレイの配列のピッチをわずかに小さく設定すれば、撮像面の周辺部にいくほど各画素に対し色フィルタやオンチップマイクロレンズアレイが撮像レンズ光軸側へシフトするため、斜入射の光束を効率的に各画素の受光部に導くことができる。これにより固体撮像素子で発生するシェーディングを小さく抑えることができる。本実施例は、前記要求が緩和された分について、より小型化を目指した設計例となっている。
【００６６】
以下、好ましい態様についてまとめて説明する。
【００６７】
上記撮像レンズにおいて、以下の条件式を満足することが好ましい。
１．００＜ｆ１２３４／ｆ＜２．００      （３）
ただし、
ｆ１２３４：前記第１レンズから前記第４レンズまでの合成焦点距離(ｍｍ)
ｆ：前記撮像レンズ全系の焦点距離(ｍｍ)
【００６８】
条件式（３）は第１レンズから第４レンズまでの合成焦点距離を適切に設定するための条件式である。条件式(３)の値が下限を上回ることで、第１レンズから第４レンズ合成焦点距離が短くなりすぎることがなくなり、第１レンズから第４レンズの中でもパワーが大きくなりがちな第１レンズや第２レンズで発生する諸収差を抑制することができる。一方、条件式(３)の値が上限を下回ることで、第１レンズから第４レンズまでの合成パワーを適度に維持することができ、撮像レンズ全長の短縮化を行うことができる。また、より望ましくは下式の範囲がよい。
１．２０＜ｆ１２３４／ｆ＜１．９０      （３）’
【００６９】
また、以下の条件式を満足することが好ましい。
−１．７０＜ｆ２／ｆ＜−１．００      （４）
ただし、
ｆ２：前記第２レンズの焦点距離(ｍｍ)
ｆ：前記撮像レンズ全系の焦点距離(ｍｍ)
【００７０】
条件式（４）は第２レンズの焦点距離を適切に設定するための条件式である。上限式(４)の値が上限を下回ることで、第２レンズの負の屈折力が必要以上に強くなりすぎず、周辺部でのコマ収差や歪曲収差を小さくすることができる。一方、上限式(４)の値が下限を上回ることで、第２レンズの負の屈折力を適度に維持することができ、ペッツバール和の低減や像面湾曲の補正に効果がある。また、より望ましくは下式の範囲がよい。
−１．６０＜ｆ２／ｆ＜−１．２０      （４）’
【００７１】
また、以下の条件式を満足することが好ましい。
１．５０＜ｆ３／ｆ＜６．００      （５）
ただし、
ｆ３：前記第３レンズの焦点距離(ｍｍ)
ｆ：前記撮像レンズ全系の焦点距離(ｍｍ)
【００７２】
条件式（５）は第３レンズの焦点距離を適切に設定するための条件式である。条件式(５)の値が上限を下回ることで、第３レンズの屈折力を適度に維持することができ、第１レンズから第３レンズまでを正負正の順で配置する、所謂トリプレットの効果を強めることができるため、像面湾曲や非点収差を良好に補正することができるようになる。一方、条件式(５)の値が下限を上回ることで、第３レンズの屈折力が強くなりすぎず、撮像レンズ全長を短縮することができる。また、より望ましくは下式の範囲がよい。
２．００＜ｆ３／ｆ＜５．５０      （５）’
【００７３】
また、以下の条件式を満足することが好ましい。
０．３０＜ｒ１／ｆ＜０．６０      （６）
ただし、
ｒ１：前記第１レンズ物体側面の曲率半径(ｍｍ)
ｆ：前記撮像レンズ全系の焦点距離(ｍｍ)
【００７４】
条件式（６）は第１レンズ物体側面の曲率半径を適切に設定し撮像レンズ全長の短縮化と収差補正を適切に達成するための条件式である。条件式（６）の値が上限を下回ることで、第１レンズ物体側面の屈折力を適度に維持することができ、第１レンズと第２レンズの合成主点をより物体側へ配置することができ、撮像レンズ全長を短くすることができる。一方、条件式（６）の値が下限を上回ることで、第１レンズ物体側面の屈折力が必要以上に大きくなりすぎず、第１レンズで発生する、高次の球面収差やコマ収差を小さく抑えることができる。また、より望ましくは下式の範囲がよい。
０．３５＜ｒ１／ｆ＜０．５０      （６）’
【００７５】
また、以下の条件式を満足することが好ましい。
０．４０＜ｒ４／ｆ＜０．９０      （７）
ただし、
ｒ４：前記第２レンズ像側面の曲率半径(ｍｍ)
ｆ：前記撮像レンズ全系の焦点距離(ｍｍ)
【００７６】
条件式（７）は第２レンズ像側面の曲率半径を適切に設定する条件である。第２レンズの像側面を、条件式（７）を満足するような強い発散面とすることで、正の屈折力を有する第１レンズで発生した軸上色収差を第２レンズで良好に補正することができる。また、条件式（７）の値が下限を上回ることで、曲率半径が小さくなりすぎず、加工性を損なわない。一方で、条件式（７）の値が上限を下回ることで、ペッツバール和を小さく保ちながら色収差を良好に補正することができる。また、より望ましくは下式の範囲がよい。
０．４５＜ｒ４／ｆ＜０．８５  （７）’
【００７７】
また、以下の条件式を満足することが好ましい。
０．０２＜ＴＨＩＬ２／ｆ＜０．２０      （８）
ただし、
ＴＨＩＬ２：前記第２レンズの光軸上の厚み(ｍｍ)
ｆ：前記撮像レンズ全系の焦点距離(ｍｍ) 
【００７８】
条件式（８）は第２レンズの光軸上の厚みを適切に設定するための条件式である。条件式(８)の値が下限を上回ることで、第２レンズの厚みが薄くなりすぎず、成形性を損なわない。一方、条件式(８)の値が上限を下回ることで、第２レンズの厚みが厚くなりすぎず、Ｌ２前後のレンズ間隔を確保しやすくなり、結果として撮像レンズ全長の短縮化を行うことができる。また、より望ましくは下式の範囲がよい。
０．０３＜ＴＨＩＬ２／ｆ≦０．１５      （８）’
【００７９】
また、以下の条件式を満足することが好ましい。
０．１０＜ＴＨＩＬ６／ｆ＜０．３０      （９）
ただし、
ＴＨＩＬ６：前記第６レンズの光軸上の厚み(ｍｍ)
ｆ：前記撮像レンズ全系の焦点距離(ｍｍ) 
【００８０】
条件式（９）は第６レンズの光軸上の厚みを適切に設定するための条件式である。条件式(９)の値が下限を上回ることで、第６レンズの厚みが薄くなりすぎず、成形性を損なわない。一方、条件式(９)の値が上限を下回ることで、第６レンズの厚みが厚くなりすぎず、バックフォーカスを確保しやすくなる。また、より望ましくは下式の範囲がよい。
０．１５＜ＴＨＩＬ６／ｆ＜０．２５      （９）’
【００８１】
また、以下の条件式を満足することが好ましい。
２．０＜ＨＥＮＬ６＜５．０      （１０）
ただし、
ＨＥＮＬ６：前記第６レンズの偏肉比
【００８２】
条件式（１０）は第６レンズの偏肉比を適切に設定するための条件式である。なお、ここでの偏肉比とは、第６レンズの周辺部での光軸と平行方向に見たレンズ厚みを光軸上の中心厚で割った値をいうものとする。条件式(１０)の値が上限を下回ることで、偏肉比が極端に大きくなりすぎず、成形性を損なわないようにできる。第６レンズのような偏肉比の大きくなりがちなレンズでは、偏肉比が大きくなるとウェルド等の成形時の不具合が発生しやすくなるからである。一方、条件式(１０)の値が下限を上回ることで、偏肉比を適度につけることができ、周辺での収差補正を良好にできたり、良好なテレセントリック特性を確保することができるようになる。また、より望ましくは下式の範囲がよい。
３．０＜ＨＥＮＬ６＜４．５      （１０）’
【００８３】
また、前記第４レンズは負の屈折力を有し、以下の条件式を満足することが好ましい。
２０＜ν３−ν４＜７０      （１１）
ただし、
ν３：前記第３レンズのアッベ数
ν４：前記第４レンズのアッベ数
【００８４】
条件式（１１）は、撮像レンズ全系の色収差を良好に補正するための条件式である。条件式（１１）の値が下限を上回ることで、軸上色収差や倍率色収差などの色収差をバランス良く補正することができる。一方、条件式（１１）の値が上限を下回ることで、入手しやすい硝材で構成することができる。また、より望ましくは下式の範囲がよい。
２５＜ν３−ν４＜６５      （１１）’
【００８５】
また、以下の条件式を満足することが好ましい。
２０＜ν１−ν２＜７０      （１２）
ただし、
ν１：前記第１レンズのアッベ数
ν２：前記第２レンズのアッベ数
【００８６】
条件式（１２）は、撮像レンズ全系の色収差を良好に補正するための条件式である。条件式（１２）の値が下限を上回ることで、軸上色収差や倍率色収差などの色収差をバランス良く補正することができる。一方、条件式（１２）の値が上限を下回ることで、入手しやすい硝材で構成することができる。また、より望ましくは下式の範囲がよい。
２５＜ν１−ν２＜６５      （１２）’
【００８７】
また、前記第６レンズの物体側面は非球面形状であり、光軸との交点以外の位置に極値を有することが好ましい。第６レンズの物体側面を非球面形状とし、光軸との交点以外の位置に極値を有する形状とすることで、画面周辺部の歪曲収差をより良好に補正し、テレセントリック特性をさらに良好にすることができるようになる。
【００８８】
また、前記第２レンズの像側面は光軸から離れるにしたがって単調に像側へ倒れる形状をしていることが好ましい。第２レンズのような比較的屈折力の大きなレンズが光軸との交点以外の位置に極値を有する形状となっていると、第２レンズが製造誤差で偏芯を起こした場合の性能劣化が大きくなってしまう傾向にある。そこで、第２レンズの像側面を光軸から離れるにしたがって単調に像側へ倒れる形状とすることで、製造誤差発生時の性能劣化を小さく抑えることが可能となる。尚、「単調に倒れる」とは、曲面が極値を持たないことを意味する。
【００８９】
また、前記第３レンズは周辺部で物体側に倒れるような形状をしていることが好ましい。第３レンズが周辺部で物体側に倒れるような形状とすることで、第３レンズ周辺部の形状を開口絞りに対してコンセントリックに近い形状とすることができ、第３レンズで発生する軸外諸収差を抑制することができる。
【００９０】
また、実質的に屈折力を有しないレンズを有していてもよい。つまり、本発明の撮像レンズの構成に、実質的にパワーを持たないダミーレンズを付与した場合でも本発明の適用範囲内である。
【００９１】
本発明は、明細書に記載の実施形態、実施例に限定されるものではなく、他の実施形態や実施例や変形例を含むことは、本明細書に記載された実施形態や実施例や技術思想から本分野の当業者にとって明らかである。
【産業上の利用可能性】
【００９２】
本発明により、小型の携帯端末に好適な撮像レンズを提供できる。
【符号の説明】
【００９３】
１０        撮像レンズ
５０        撮像ユニット
５１        撮像素子
５１ａ      光電変換部
５２        基板
５３        鏡筒
５３ａ      フランジ部
５４        光学フィルタ
５５        アクチュエータ
５５ａ      キャリヤ
５５ｂ      コイル
５５ｃ      磁石
５５ｄ      ヨーク
５６        回路基板
５７        台座部材
５７ａ      側壁部
５７ｂ      上壁部
５７ｃ      開口
６０        入力部
７０        タッチパネル
８０        無線通信部
９１        記憶部
９２        一時記憶部
１００      スマートフォン
１０１      制御部
Ｉ          撮像面
Ｆ          平行平板
Ｌ１〜Ｌ６  レンズ
Ｓ          開口絞り
【図１】
2014175058.tif 000005
【図２】
2014175058.tif 000006
【図３】
2014175058.tif 000007
【図４】
2014175058.tif 000008
【図５】
2014175058.tif 000009
【図６】
2014175058.tif 000010
【図７】
2014175058.tif 000011
【図８】
2014175058.tif 000012
【図９】
2014175058.tif 000013
【図１０】
2014175058.tif 000014
【図１１】
2014175058.tif 000015
【図１２】
2014175058.tif 000016
【図１３】
2014175058.tif 000017
【図１４】
2014175058.tif 000018
【図１５】
2014175058.tif 000019
【図１６】
2014175058.tif 000020
【国際調査報告】
2014175058.tif 000021
2014175058.tif 000022
2014175058.tif 000023
2014175058.tif 000024